(57)【要約】【課題】２枚のパネルに表示する画像の輝度比を変化させることにより観察者に立体的な画像を表示する表示装置の場合、表示する立体画像の内容によっては十分な奥行き感が得られないとか、立体視が自然でなくて違和感が生じてしまう可能性がある。【解決手段】それぞれが間隔をおいて配置される３枚の表示パネルＰ１，Ｐ２，Ｐ３と、これらの表示パネルＰ１，Ｐ２，Ｐ３のそれぞれに画像を表示する画像表示部１３とを有する。画像表示部１３は、立体画像における画像部分の遠近位置に基づいた画像を、表示パネルＰ１，Ｐ２，Ｐ３のそれぞれに表示することにより観察者に立体画像を視認させる。【選択図】図４
2010026413.tif 000002
【特許請求の範囲】
【請求項１】
観察者に立体画像を視認させる表示装置であって、
それぞれが間隔をおいて配置される少なくとも３枚の表示パネルと、
前記表示パネルのそれぞれに画像を表示する画像表示部と、を有し、
前記画像表示部は、前記立体画像における画像部分の遠近位置に基づいた画像を、前記表示パネルのそれぞれに表示することにより前記観察者に前記立体画像を視認させることを特徴とする表示装置。
【請求項２】
前記表示パネルのそれぞれに表示する画像は、
相対的に近位置として視認される前記画像部分の輝度が、前記視認側から近い側に配置されている前記表示パネルにおいて高くなるように調整され、
相対的に遠位置として視認される前記画像部分の輝度が、前記視認側から遠い側に配置されている前記表示パネルにおいて高くなるように調整され、
相対的に中間位置として視認される前記画像部分の輝度が、前記視認側から近い側及び遠い側の中間に配置されている前記表示パネルにおいて高くなるように調整されていることを特徴とする請求項１に記載の表示装置。
【請求項３】
前記表示パネルのそれぞれに表示する画像は、
前記遠近位置に基づいて前記立体画像が複数の画像領域に分割された画像であって、
相対的に近位置として視認される前記画像領域の画像が、前記視認側から近い側に配置されている前記表示パネルに表示され、
相対的に遠位置として視認される前記画像領域の画像が、前記視認側から遠い側に配置されている前記表示パネルに表示され、
相対的に中間位置として視認される前記画像領域の画像が、前記視認側から近い側及び遠い側の中間に配置されている前記表示パネルに表示されることを特徴とする請求項１又は２に記載の表示装置。
【請求項４】
前記視認側から近い側及び遠い側の中間に配置されている前記表示パネルについて、当該表示パネルに表示する画像の輝度が低くなるように調整されていることを特徴とする請求項１から３のいずれか一項に記載の表示装置。
【請求項５】
前記表示パネルのそれぞれのうち、少なくとも１枚の前記表示パネルの外形形状を変形させることにより前記立体画像の内容を調整する表示パネル変形部を更に有することを特徴とする請求項１から４のいずれか一項に記載の表示装置。
【請求項６】
前記表示パネルのそれぞれは、有機ＥＬパネルであることを特徴とする請求項１から５のいずれか一項に記載の表示装置。
【請求項７】
それぞれが間隔をおいて配置される少なくとも３枚の表示パネル有して観察者に立体画像を視認させる表示装置の表示方法であって、
前記立体画像における画像部分の遠近位置に基づいた画像を、前記表示パネルのそれぞれに表示することにより前記観察者に前記立体画像を視認させる画像表示工程を有することを特徴とする表示方法。
【発明の詳細な説明】
【技術分野】
【０００１】
本発明は、立体画像を表示する表示装置及び表示方法に関する。
【背景技術】
【０００２】
従来、特殊なメガネやレンチキュラーレンズ等を使用して視差画像を立体表示する方式が知られている。しかし、このような視差画像を利用する方式の場合、装置構成が複雑になってしまう問題や観察者に眼精疲労を引き起こす等の問題がある。このため、例えば下記の非特許文献１〜３に記載されている表示装置では、前後２枚の透明なＬＣＤパネルを所定の間隔で重ねて、それぞれのパネルに表示する画像の輝度比を変化させることにより観察者に立体的な画像を表示する方式を採用している。そして、この視差画像を用いない方式により、簡単な装置構成で、眼精疲労感の少ない立体画像の表示装置を実現している。
【０００３】
【非特許文献１】高田・陶山・伊達・昼間・中沢：“前後２面のLCDを積層した小型DFDディスプレイ”映像情報メディア学会誌，Vol.58，No.6，pp.807-810，2004
【非特許文献２】NTT技術ジャーナル記事2005.2“前後２面のLCDを積層したDFDディスプレイ”（http://www.ntt.co.jp/journal/0502/files/jn200502021.pdf）
【非特許文献３】ＮＴＴＩＴ製品（http://www.ntt-it.co.jp/goods/idp/dfd/principle.html）
【発明の開示】
【発明が解決しようとする課題】
【０００４】
しかしながら、上記した非特許文献１〜３に記載されるような表示装置では、立体画像における対象物を前後２枚のパネルに表示する際、対象物が近位置にある場合には、前面パネルにおける対象物の輝度を高くして後面パネルにおける対象物の輝度を低くするように調整している。逆に、対象物が遠位置にある場合には、前面パネルにおける対象物の輝度を低くして後面パネルにおける対象物の輝度を高くするように調整している。このように、２枚のパネルの輝度比を調整することによって各対象物の遠近位置を表現することから、表示する立体画像の内容によっては、十分な奥行き感が得られない問題や、立体視が自然でなくて違和感を感じてしまう等の問題が生じる可能性がある。
【課題を解決するための手段】
【０００５】
本発明は、上記の課題の少なくとも一部を解決するためになされたものであり、以下の形態又は適用例として実現することが可能である。
【０００６】
［適用例１］
観察者に立体画像を視認させる表示装置であって、それぞれが間隔をおいて配置される少なくとも３枚の表示パネルと、前記表示パネルのそれぞれに画像を表示する画像表示部と、を有し、前記画像表示部は、前記立体画像における画像部分の遠近位置に基づいた画像を、前記表示パネルのそれぞれに表示することにより前記観察者に前記立体画像を視認させることを特徴とする表示装置。
【０００７】
上記した表示装置によれば、画像表示部が、立体画像における画像部分の遠近位置に基づいた画像を少なくとも３枚の表示パネルに表示することにより、観察者に立体画像を視認させる。少なくとも３枚の表示パネルに画像を表示することから、それぞれの表示パネルに表示する遠近位置に基づく画像を調整することで、２枚の表示パネルに画像を表示して立体画像を視認させる方式に比して、十分な奥行き感のある立体画像や、自然で滑らかな奥行き感を持つ立体画像を表現することができる。
【０００８】
［適用例２］
前記表示パネルのそれぞれに表示する画像は、相対的に近位置として視認される前記画像部分の輝度が、前記視認側から近い側に配置されている前記表示パネルにおいて高くなるように調整され、相対的に遠位置として視認される前記画像部分の輝度が、前記視認側から遠い側に配置されている前記表示パネルにおいて高くなるように調整され、相対的に中間位置として視認される前記画像部分の輝度が、前記視認側から近い側及び遠い側の中間に配置されている前記表示パネルにおいて高くなるように調整されていることを特徴とする上記表示装置。
【０００９】
上記した表示装置によれば、相対的に、近位置、遠位置及び中間位置として視認される画像部分の輝度を、それぞれ近い側、遠い側及び中間に配置されている表示パネルにおいて高くなるように調整されている。このように、近い側及び遠い側に配置されている表示パネルを利用するのみでなく、中間に配置されている表示パネルを利用して、中間位置として視認される画像部分の輝度を高くする調整を行っている。これにより、各表示パネルに表示する遠近位置に基づく画像の輝度調整を木目細かく行うことができるようになる。
【００１０】
［適用例３］
前記表示パネルのそれぞれに表示する画像は、前記遠近位置に基づいて前記立体画像が複数の画像領域に分割された画像であって、相対的に近位置として視認される前記画像領域の画像が、前記視認側から近い側に配置されている前記表示パネルに表示され、相対的に遠位置として視認される前記画像領域の画像が、前記視認側から遠い側に配置されている前記表示パネルに表示され、相対的に中間位置として視認される前記画像領域の画像が、前記視認側から近い側及び遠い側の中間に配置されている前記表示パネルに表示されることを特徴とする上記表示装置。
【００１１】
上記した表示装置によれば、立体画像が複数の画像領域に分割された画像について、相対的に、近位置、遠位置及び中間位置として視認される画像領域の画像を、それぞれ近い側、遠い側及び中間に配置されている表示パネルに表示している。このように、近い側及び遠い側に配置されている表示パネルを利用するのみでなく、中間に配置されている表示パネルを利用して、中間位置として視認される画像領域の画像を表示するようにしている。これにより、各表示パネルに表示する遠近位置に基づく画像領域の画像を木目細かく表示することができるようになる。
【００１２】
［適用例４］
前記視認側から近い側及び遠い側の中間に配置されている前記表示パネルについて、当該表示パネルに表示する画像の輝度が低くなるように調整されていることを特徴とする上記表示装置。
【００１３】
上記した表示装置によれば、中間に配置されている表示パネルに表示する画像の輝度を低く抑えることにより、立体画像において中間位置として視認される画像の印象を弱くすることができる。この結果、立体画像において近位置及び遠位置として視認される画像を強調することができ、立体画像の遠近感を強めることができる。
【００１４】
［適用例５］
前記表示パネルのそれぞれのうち、少なくとも１枚の前記表示パネルの外形形状を変形させることにより前記立体画像の内容を調整する表示パネル変形部を更に有することを特徴とする上記表示装置。
【００１５】
上記した表示装置によれば、表示パネル変形部が、表示パネルの外形形状を変形させることにより、視認される立体画像について画像補正等の微調整を行うことができる。
【００１６】
［適用例６］
前記表示パネルのそれぞれは、有機ＥＬパネルであることを特徴とする上記表示装置。
【００１７】
上記した表示装置によれば、表示パネルのそれぞれが有機ＥＬパネルであることから、液晶パネルを表示パネルとする構成に比して、複数枚の表示パネルを配置したときに発生する透過率の減少を抑えることができ、表示装置の表面輝度の低下に対応することができる。
【００１８】
［適用例７］
それぞれが間隔をおいて配置される少なくとも３枚の表示パネル有して観察者に立体画像を視認させる表示装置の表示方法であって、前記立体画像における画像部分の遠近位置に基づいた画像を、前記表示パネルのそれぞれに表示することにより前記観察者に前記立体画像を視認させる画像表示工程を有することを特徴とする表示方法。
【００１９】
上記した表示方法によれば、画像表示工程において、立体画像における画像部分の遠近位置に基づいた画像を少なくとも３枚の表示パネルに表示することにより、観察者に立体画像を視認させる。少なくとも３枚の表示パネルに画像を表示することから、それぞれの表示パネルに表示する遠近位置に基づく画像を調整することで、２枚の表示パネルに画像を表示して立体画像を視認させる方式に比して、十分な奥行き感のある立体画像や、自然で滑らかな奥行き感を持つ立体画像を表現することができる。
【発明を実施するための最良の形態】
【００２０】
（第１実施形態）
以下、第１実施形態に係る表示装置について図面を参照して説明する。なお、各図における表示装置の説明では、表示装置における各層や各部材を図面上で認識可能な程度の大きさとするため、各層や各部材の縮尺を実際とは異なるように表わしている。
【００２１】
最初に、本実施形態に係る表示装置の概略について説明する。
図１は、本実施形態に係る表示装置１を示す概略図である。同図に示すように、表示装置１は、３枚の表示パネルＰ１，Ｐ２，Ｐ３を有している。これらの表示パネルＰ１，Ｐ２，Ｐ３はそれぞれが所定の間隔をおいて重なるように配置されている。表示パネルＰ１は観察者Ｍの視認側から最も遠い側に配置され、表示パネルＰ３は視認側から最も近い側に配置され、表示パネルＰ２は表示パネルＰ１と表示パネルＰ３との中間に配置されている。
【００２２】
表示パネルＰ１，Ｐ２，Ｐ３のそれぞれは有機ＥＬパネルからなり、図１に示すように、基板１０、回路素子部２０及び表示素子部３０が順に積層され、封止部５０により封止された構造となっている。各表示素子部３０から発した表示光は、各封止部５０から観察者Ｍ側へ出射される。ここで、表示パネルＰ２，Ｐ３は透光性を有しており、表示パネルＰ１から出射された表示光Ｒ１は、表示パネルＰ２，Ｐ３を透過して観察者Ｍの目に入射する。また、表示パネルＰ２から出射された表示光Ｒ２は、表示パネルＰ３を透過して観察者Ｍの目に入射する。また、表示パネルＰ３から出射された表示光Ｒ３は、そのまま観察者Ｍの目に入射する。
観察者Ｍは、表示パネルＰ１に表示されて表示パネルＰ２，Ｐ３を透過した画像と、表示パネルＰ２に表示されて表示パネルＰ３を透過した画像と、表示パネルＰ３に表示された画像とを合成した画像により立体画像を視認することができる。
【００２３】
次に、有機ＥＬパネルからなる表示パネルＰ１，Ｐ２，Ｐ３の構成について説明する。
図２は表示パネルＰ１，Ｐ２，Ｐ３の配線構造を示す平面模式図である。同図に示すように、表示パネルＰ１，Ｐ２，Ｐ３には、複数の走査線１０１と、それぞれの走査線１０１に対して交差する方向に延びる複数の信号線１０２と、それぞれの信号線１０２に並列に延びる複数の電源線１０３とが配線されている。
【００２４】
信号線１０２にはデータ側駆動回路１０４が接続され、走査線１０１には走査側駆動回路１０５が接続されている。走査線１０１と信号線１０２とにより区画された各画素領域には、走査線１０１を介して走査信号がゲート電極に供給されるスイッチング用の薄膜トランジスタ１２２と、このスイッチング用の薄膜トランジスタ１２２を介して信号線１０２から共有される画素信号を保持する保持容量ｃａｐと、当該保持容量ｃａｐによって保持された画素信号がゲート電極に供給される駆動用の薄膜トランジスタ１２３と、この駆動用の薄膜トランジスタ１２３を介して電源線１０３に電気的に接続したときに当該電源線１０３から駆動電流が流れ込む陽極としての画素電極３１と、この画素電極３１と陰極３３との間に挟み込まれる機能層３２とが設けられている。これらの画素電極３１と陰極３３と機能層３２とにより発光部Ａが構成され、表示パネルＰ１，Ｐ２，Ｐ３は、この発光部Ａをマトリクス状に複数備えて構成されている。
【００２５】
図３は、表示パネルＰ１，Ｐ２，Ｐ３の断面構造を拡大した模式図である。同図に示すように、表示パネルＰ１，Ｐ２，Ｐ３は、基板１０上に回路素子部２０と表示素子部３０とが順に積層されている。これらの回路素子部２０及び表示素子部３０は、いずれも透光性を有している。表示素子部３０は、画素電極３１と、機能層３２と、陰極３３と、基板１０上に形成され画素領域のそれぞれを区画するバンク層３７とにより構成されている。また、画素電極３１と機能層３２と陰極３３とにより発光部Ａが構成されている。
【００２６】
基板１０は、表示パネルＰ２，Ｐ３の場合は透明基板を用い、表示パネルＰ１の場合は不透明基板を用いる。
機能層３２は、画素電極３１の上に積層された正孔注入／輸送層（電荷注入層）３２１と、正孔注入／輸送層３２１上に隣接して形成された発光層３２２と、この発光層３２２上に隣接して形成された電子注入層（電荷注入層）３２３とにより構成されている。
正孔注入／輸送層３２１は、正孔を発光層３２２に注入する機能を有するとともに、正孔を正孔注入／輸送層３２１内部において輸送する機能を有する。また、電子注入層３２３は、電子を発光層３２２に注入する機能を有するとともに、電子を電子注入層３２３内部において輸送する機能を有する。
【００２７】
発光層３２２は、赤色に発光する赤色発光層３２２ｒ、緑色に発光する緑色発光層３２２ｇ、及び青色に発光する青色発光層３２２ｂの３種類を有し、各発光層３２２ｒ，３２２ｇ，３２２ｂが規則的に配列されている。
画素電極３１及び陰極３３は、透光性の導電材料であって機能層３２に電流を流す役割を果たす。
バンク層３７は、回路素子部２０上に隣接して形成された無機バンク層３７１と、この無機バンク層３７１上に隣接して形成された有機バンク層３７２とを備えている。
また、図１に示す封止部５０は、表示パネルＰ１，Ｐ２，Ｐ３のそれぞれの内部に水分や酸素が浸透するのを防止するためのものである。
【００２８】
次に、表示装置１の機能構成について説明する。
図４は、表示装置１の機能構成の例を示すブロック図である。同図に示すように、表示装置１は、制御部１１、操作部１２、画像表示部１３、記憶部１４、表示パネルＰ１，Ｐ２，Ｐ３等を含んで構成される。
【００２９】
制御部１１は、図示しないＣＰＵ、ＲＯＭ、ＲＡＭ等を備えて、表示装置１における上記した各部等を制御する。
操作部１２は、ユーザからの操作を入力ボタン等により受け付け、例えば表示装置１に立体画象表示させる指定等を受け付ける。
【００３０】
画像表示部１３は、記憶部１４に記憶されている画像データ１４ａに基づいて、各表示パネルＰ１，Ｐ２，Ｐ３に画像を表示する。観察者Ｍは、各表示パネルＰ１，Ｐ２，Ｐ３に表示された画像の合成画像を見ることにより立体画像として視認する。ここで、各表示パネルＰ１，Ｐ２，Ｐ３に表示する画像は、立体画像における各画像部分の遠近位置に基づいて生成された画像である。この表示する画像の詳細については後述する。
なお、画像表示部１３における処理は、画像表示工程に相当する。
【００３１】
記憶部１４は、例えばＥＥＰＲＯＭ（Electrically Erasable Programmable Read-Only Memory）やフラッシュメモリのような不揮発性メモリであり、画像表示部１３が表示する対象となる画像データ１４ａ等を記憶する。
表示パネルＰ１，Ｐ２，Ｐ３については前述した通りである。
【００３２】
次に、各表示パネルＰ１，Ｐ２，Ｐ３に表示する画像について説明する。
図５は、観察者Ｍが視認する立体画像のイメージの例を示す図である。同図では、二人の人物と山の景色等が立体的に描かれている。ここで、二人の人物のうち前方に位置する体の小さい方を子供画像Ｓ１として後方に位置する体の大きい方を親画像Ｓ２とし、山の景色等を背景画像Ｓ３とする。
観察者Ｍがこの立体画像を視認した場合、立体画像において、子供画像Ｓ１は相対的に近位置として視認され、親画像Ｓ２は相対的に中間位置として視認され、背景画像Ｓ３は相対的に遠位置として視認される。
【００３３】
次に、各表示パネルＰ１，Ｐ２，Ｐ３に輝度調整を行った画像を表示し、観察者Ｍに図５に示す立体画像を視認させる例について説明する。
図６は、各表示パネルＰ１，Ｐ２，Ｐ３に表示する、輝度調整を行った画像の例を示す図であり、（ａ）は表示パネルＰ１に表示する画像を示し、（ｂ）は表示パネルＰ２に表示する画像を示し、（ｃ）は表示パネルＰ３に表示する画像を示す。（ａ）では、背景画像Ｓ３の輝度が子供画像Ｓ１及び親画像Ｓ２と比較して高くなるように調整してある。（ｂ）では、親画像Ｓ２の輝度が子供画像Ｓ１及び背景画像Ｓ３と比較して高くなるように調整してある。（ｃ）では、子供画像Ｓ１の輝度が親画像Ｓ２及び背景画像Ｓ３と比較して高くなるように調整してある。
【００３４】
観察者Ｍは、子供画像Ｓ１については、表示パネルＰ３における輝度が高くて、表示パネルＰ１，Ｐ２における輝度が低い画像を見ることになる。これにより、観察者Ｍは、子供画像Ｓ１が立体画像において近位置に位置するとして視認することができる。また、観察者Ｍは、親画像Ｓ２については、表示パネルＰ２における輝度が高くて、表示パネルＰ１，Ｐ３における輝度が低い画像を見ることになる。これにより、観察者Ｍは、親画像Ｓ２が立体画像において中間位置に位置するとして視認することができる。また、観察者Ｍは、背景画像Ｓ３については、表示パネルＰ１における輝度が高くて、表示パネルＰ２，Ｐ３における輝度が低い画像を見ることになる。これにより、観察者Ｍは、背景画像Ｓ３が立体画像において遠位置に位置するとして視認することができる。
【００３５】
これらの結果、観察者Ｍは、図５に示すような、手前に子供が位置してその後方に親が位置し、背景となる山の景色等が遠くに位置する奥行き感のある画像を視認することができる。このように、中間に配置されている表示パネルＰ２を利用して、中間位置として視認される親画像Ｓ２の輝度を高くする調整を行うことができ、これにより、各表示パネルに表示する遠近位置に基づく画像の輝度調整を木目細かく行うことができる。
【００３６】
次に、各表示パネルＰ１，Ｐ２，Ｐ３に画像領域に分割された画像を表示し、観察者Ｍに図５に示す立体画像を視認させる例について説明する。
図７は、各表示パネルＰ１，Ｐ２，Ｐ３に表示する、画像領域に分割された画像の例を示す図であり、（ａ）は表示パネルＰ１に表示する画像を示し、（ｂ）は表示パネルＰ２に表示する画像を示し、（ｃ）は表示パネルＰ３に表示する画像を示す。（ａ）では、背景画像Ｓ３のみで画像が構成されている。（ｂ）では、親画像Ｓ２のみで画像が構成されている。（ｃ）では、子供画像Ｓ１のみで画像が構成されている。
【００３７】
観察者Ｍは、子供画像Ｓ１については、視認側から最も近い側に配置されている表示パネルＰ３における画像を見ることになる。これにより、観察者Ｍは、子供画像Ｓ１が立体画像において近位置に位置するとして視認することができる。また、親画像Ｓ２については、中間に配置されている表示パネルＰ２における画像を見ることになる。これにより、観察者Ｍは、親画像Ｓ２が立体画像において中間位置に位置するとして視認することができる。また、背景画像Ｓ３については、視認側から最も遠い側に配置されている表示パネルＰ１における画像を見ることになる。これにより、観察者Ｍは、背景画像Ｓ３が立体画像において遠位置に位置するとして視認することができる。
【００３８】
これらの結果、観察者Ｍは、図５に示すような、手前に子供が位置してその後方に親が位置し、背景となる山の景色等が遠くに位置する奥行き感のある画像を視認することができる。このように、中間に配置されている表示パネルＰ２を利用して、中間位置として視認される親画像Ｓ２のみの表示を行うことができ、これにより、各表示パネルに表示する遠近位置に基づく画像領域の画像を木目細かく表示することができる。
【００３９】
なお、図６に示す輝度調整を行った画像の例、及び図７に示す画像領域に分割された画像の例について説明したが、ここで、輝度調整を行った画像と、画像領域に分割された画像とを組合わせることにより、更に木目細かく遠近位置に基づく画像の調整を行って立体画像を表現しても良い。
【００４０】
上述したように、立体画像における画像部分の遠近位置に基づいて木目細かく調整された画像を各表示パネルＰ１，Ｐ２，Ｐ３に表示することができ、これにより、十分な奥行き感のある立体画像や、自然で滑らかな奥行き感を持つ立体画像を表現することができる。
【００４１】
（第２実施形態）
以下、第２実施形態に係る表示装置について図面を参照して説明する。第２実施形態に係る表示装置は、第１実施形態に係る表示装置１と同様に３枚の有機ＥＬパネルからなる表示パネルＰ１，Ｐ２，Ｐ３を有しているが、表示装置１とは機能構成が異なる。
【００４２】
図８は、第２実施形態に係る表示装置２の機能構成の例を示すブロック図である。同図に示すように、表示装置２は、図４に示す第１実施形態に係る表示装置１の機能構成に対して、表示パネル変形部６０が追加されている。この表示パネル変形部６０は、アクチュエータ駆動部６０ａを備えている。
【００４３】
表示パネル変形部６０は、ユーザが操作部１２を介して入力する指示に従って、表示パネルＰ１と表示パネルＰ３との中間に配置されている表示パネルＰ２の外形形状の変形を行う。この外形形状の変形により、観察者Ｍが視認する立体画像について画像補正等の微調整を行う。なお、外形形状を変形する対象となる表示パネルは、表示パネルＰ２に限られず、表示パネルＰ１又は表示パネルＰ３のいずれかであっても、複数の表示パネルであっても良い。
【００４４】
図９は、表示パネルＰ２の変形機構の概要を示す図である。表示パネルＰ２は、外形形状がフレキシブルに変形可能な構造となっている。この表示パネルＰ２は、同じくフレキシブルに変形可能なフレーム７０に組み合わされて一体形成されている。フレーム７０の四隅には、アクチュエータ７２が取り付けられている。
【００４５】
アクチュエータ７２は、アクチュエータ駆動部６０ａからの駆動信号に応じて、フレーム７０に力を加えることにより、フレーム７０に一体形成された表示パネルＰ２の外形形状を変形させる。この変形には、例えば、表示パネルＰ２の出射面の傾きを変えることや、通常平面状である出射面を曲面状に変形させること等が含まれる。
【００４６】
表示パネルＰ２の外形形状を変形させて画像補正等の微調整を行うことにより、観察者Ｍは、立体画像における各対象物を本来の位置関係と同等にすることができ、且つ違和感がなく自然に立体視できる画像を得ることができる。
【００４７】
（変形例１）
上述した実施形態では、表示パネルＰ１，Ｐ２，Ｐ３に表示する画像の例として、輝度調整を行った画像、及び画像領域に分割された画像について説明を行った。しかし、表示パネルＰ１，Ｐ２，Ｐ３への画像の表示は、これに限られない。例えば、表示パネルＰ１，Ｐ２，Ｐ３において、表示パネルＰ１と表示パネルＰ３との中間に配置されている表示パネルＰ２に表示する画像全体の輝度を低くするように調整しても良い。この場合、全体が低い輝度になるように画像処理した画像データを表示パネルＰ２に表示する方法でも良いし、表示パネルＰ２からの全体の発光を低く抑えるように制御する方法でも良い。
【００４８】
表示パネルＰ２に表示する画像の輝度を低く抑えることにより、立体画像において中間位置として視認される画像の印象を弱くすることができる。この結果、立体画像において近位置及び遠位置として視認される画像を強調することができ、立体画像の遠近感を強めることができる。
【００４９】
（変形例２）
上述した実施形態では、図５に示すような二人の人物と山の景色等が立体的に描かれている立体画像を、観察者Ｍに視認させる例について説明した。しかし、表示する立体画像は、このような人物画像や風景画像には限られない。例えば、立体画像として表現する画像が、カーナビゲーション等で利用する地図画像であっても良い。
図１０は、各表示パネルＰ１，Ｐ２，Ｐ３に表示する地図画像の例を示す図であり、（ａ）は表示パネルＰ１に表示する画像を示し、（ｂ）は表示パネルＰ２に表示する画像を示し、（ｃ）は表示パネルＰ３に表示する画像を示す。（ａ）では、道路等の地図を表す図形の画像で構成されている。（ｂ）では、地図上におけるビル等の建造物の画像で構成されている。（ｃ）では、地図に関して補足説明する文字等の画像で構成されている。図１１は、各表示パネルＰ１，Ｐ２，Ｐ３に表示する地図画像の合成画像を示す図である。
【００５０】
観察者Ｍは、図１１に示す地図画像の合成画像を視認するときに、地図を表す図形の画像については、視認側から最も遠い側に配置されている表示パネルＰ１における画像を見ることになる。また、ビル等の建造物の画像については、中間に配置されている表示パネルＰ２における画像を見ることになる。また、補足説明する文字等の画像については、視認側から最も近い側に配置されている表示パネルＰ３における画像を見ることになる。
【００５１】
観察者Ｍは、各表示パネルＰ１，Ｐ２，Ｐ３における画像を見ることにより、地図を表す図形を背景として、ビル等の建造物が地図上から浮き出ている状況を視認することができる。また、補足説明する文字等が視認側から最も手前に位置することになり、地図に関する見易い説明画像を得ることができる。
【００５２】
（変形例３）
上述した実施形態では、３枚の表示パネルＰ１，Ｐ２，Ｐ３を配置するようにした。しかし、配置する表示パネルの枚数は、これに限られない。例えば、更に多くの枚数の表示パネルを配置し、立体画像における対象物の相対的な位置を近位置、中間位置及び遠位置よりも更に細かく分けて、それぞれの遠近位置に基づいた画像を各表示パネルに表示するようにしても良い。
これにより、立体画像における遠近位置に基づいて更に木目細かく調整された画像を各表示パネルに表示することができ、更に木目細かい奥行き感のある立体画像を表現することができる。
【図面の簡単な説明】
【００５３】
【図１】表示装置を示す概略図。
【図２】表示パネルの配線構造を示す平面模式図。
【図３】表示パネルの断面構造を拡大した模式図。
【図４】第１実施形態に係る表示装置の機能構成の例を示すブロック図。
【図５】観察者が視認する立体画像のイメージの例を示す図。
【図６】各表示パネルに表示する、輝度調整を行った画像の例を示す図。
【図７】各表示パネルに表示する、画像領域に分割された画像の例を示す図。
【図８】第２実施形態に係る表示装置の機能構成の例を示すブロック図。
【図９】表示パネルの変形機構の概要を示す図。
【図１０】各表示パネルに表示する地図画像の例を示す図。
【図１１】各表示パネルに表示する地図画像の合成画像を示す図。
【符号の説明】
【００５４】
１，２…表示装置、１０…基板、１１…制御部、１２…操作部、１３…画像表示部、１４…記憶部、１４ａ…画像データ、２０…回路素子部、３０…表示素子部、３１…画素電極、３２…機能層、３３…陰極、３７…バンク層、５０…封止部、６０…表示パネル変形部、６０ａ…アクチュエータ駆動部、７０…フレーム、７２…アクチュエータ、Ｐ１，Ｐ２，Ｐ３…表示パネル、Ｒ１，Ｒ２，Ｒ３…表示光、Ｓ１…子供画像、Ｓ２…親画像、Ｓ３…背景画像。
【図１】
2010026413.tif 000003
【図２】
2010026413.tif 000004
【図３】
2010026413.tif 000005
【図４】
2010026413.tif 000006
【図５】
2010026413.tif 000007
【図６】
2010026413.tif 000008
【図７】
2010026413.tif 000009
【図８】
2010026413.tif 000010
【図９】
2010026413.tif 000011
【図１０】
2010026413.tif 000012
【図１１】
2010026413.tif 000013